(57)【要約】      （修正有）【課題】充填物を充填可能な本体と位置を調整可能で脱着可能な握り部材とを有し、必要によって重量及び握り位置を調整可能なバーベルを提供する。【解決手段】ほぼチューブ状を呈し、収容空間を構成し、収容空間に液体または固体を入れ可能であり、その軸方向を長さ方向とし、その周面に位置決め部が少なくとも一つ形成されている本体１０と、その中央が中空であり、本体１０に移動可能に嵌合されており、位置決め部材３０を有し、位置決め部材３０は位置決め部に選択的に押付可能であり、更に、少なくとも一つの握り部をそれぞれ有する二つの握り部材２０と、を含む。【選択図】図２
0003203764.tif 000002
【実用新案登録請求の範囲】
【請求項１】
ほぼチューブ状を呈し、収容空間を構成し、前記収容空間に液体または固体を入れ可能であり、その軸方向を長さ方向とし、その周面に位置決め部が少なくとも一つ形成されている本体と、
その中央が中空であり、前記本体に移動可能に嵌合されており、位置決め部材を有し、前記位置決め部材は前記位置決め部に選択的に押付可能であり、更に、少なくとも一つの握り部をそれぞれ有する二つの握り部材と、
を含むことを特徴とするバーベル。
【請求項２】
前記位置決め部は位置決め溝であり、前記位置決め溝はスライド溝であり、前記スライド溝は、前記本体の前記長さ方向に沿って延びることを特徴とする、請求項１に記載のバーベル。
【請求項３】
前記本体の外周面に長い溝が形成されており、前記長い溝は、前記本体の前記長さ方向に沿って延び、前記スライド溝は、前記長い溝の底部に形成されており、前記握り部材の内リング壁は、前記握り部材の軸心に向いて突出部が形成されており、前記突出部は、前記長い溝にスライド可能に設けられていることを特徴とする、請求項２に記載のバーベル。
【請求項４】
前記本体の前記長さ方向での一端に充填口が設けられており、前記本体には、前記充填口を封止するための蓋が設けられていることを特徴とする、請求項１に記載のバーベル。
【請求項５】
前記各握り部材は、内リングと、外リングと、少なくとも一つの連結部と、前記位置決め部材と、を含み、前記内リングは、その外径が前記外リングの内径より小さく、前記外リングの中央に位置し、前記外リングとの間に予定の距離があり、前記外リングに前記握り部が形成されており、前記握り部材の前記内リングは前記本体に嵌め設けられており、前記連結部は、前記内リングと前記外リングとの間に連結されており、前記位置決め部材は、前記連結部内に設けられており、第１位置と第２位置との間に移動可能であり、前記位置決め部材が前記第１位置に位置するときに、前記位置決め部材の一端は、前記内リングの内リング面から突出し、前記本体の位置決め溝に押付可能であり、前記位置決め部材が前記第２位置に位置するときに、前記位置決め部材は、前記内リングの前記内リング面から突出せず、前記本体の位置決め溝に押し付けることができないことにより、前記握り部材は、前記本体に対して前記長さ方向に沿って移動可能であることを特徴とする、請求項２に記載のバーベル。
【請求項６】
前記連結部内に通路が設けられており、前記通路は、前記外リングの外リング壁及び前記内リングの内リング壁と連通し、前記通路の前記外リングの前記外リング壁に近接する一端を第１端とし、前記通路の前記内リングの前記内リング壁に近接する一端を第２端とし、前記通路の前記第２端に近接する開口の内径は前記通路のその他の部分の内径より小さいため、階段面が形成され、前記位置決め部材は、ケースと、押付部材と、回転部材と、歯部材と、押圧部材と、第１弾性部材と、第２弾性部材と、を含み、前記ケースは、前記通路に設けられており、その内壁には、前記通路の延び方向に沿って、互い距離を置いて配列される短い溝と長い溝とが複数設けられており、前記短い溝と前記長い溝とは、前記第１端に近接する一端が封止状を呈し、前記第２端に近接する一端が開口を有し、何れかの隣接する前記短い溝と前記長い溝との開口の間に第１斜面が形成され、前記短い溝の封止端は、前記長い溝の封止端より前記通路の前記第２端に近接し、前記押付部材は環状突起を有し、前記第１弾性部材は、前記押付部材に嵌め設けられており、前記環状突起と前記通路の前記階段面との間に押し付け、前記歯部材の前記第２端に近接する一端の端面に斜め歯が複数設けられており、前記歯部材は、前記ケース内に前記通路の延び方向に沿ってスライド可能であるが、前記ケースに対して回転できず、前記回転部材は、前記押付部材と前記歯部材との間に設けられており、前記押付部材と前記歯部材とに対して回転可能であり、前記回転部材の外壁には、前記通路の延び方向に沿って延びる縦リブが複数設けられており、前記縦リブの前記歯部材に向く端面に第２斜面が形成されており、前記縦リブは、前記短い溝または前記長い溝のうちの一つにスライド可能に設けられており、前記第２斜面が前記歯部材の前記斜め歯に選択的に押し付けられ、前記押圧部材は、前記通路の前記第１端に設けられており、前記歯部材と連接して一斉に移動可能であり、前記第２弾性部材は、前記歯部材の内部に設けられており、前記歯部材と前記回転部材との間に設けられており、前記押圧部材が押圧されて前記第１端へ前記歯部材を押さえるときに、前記歯部材により、前記回転部材の前記縦リブが押さえられて前記短い溝または前記長い溝から出て、前記第２斜面が前記第１斜面に沿ってスライドすることにより、前記回転部材が回転して、前記縦リブが隣接の前記短い溝または前記長い溝に進入し、前記縦リブが前記短い溝に位置するときには、前記押付部材が前記内リングの前記内リング壁から突出し、前記縦リブが前記長い溝に位置するときに、前記押付部材は、前記通路内に位置し、前記内リングの前記内リング壁から突出しないことを特徴とする、請求項５に記載のバーベル。
【請求項７】
前記握り部材は樹脂で作製され、前記外リングの少なくとも一部が弾性層に覆われ、前記弾性層は熱可塑性弾性体（ＴＰＲ）で作製されることを特徴とする、請求項５に記載のバーベル。
【請求項８】
更に、二つの緩衝部材を含み、二つの前記緩衝部材は、前記本体の前記長さ方向での両端にそれぞれ設けられていることを特徴とする、請求項１に記載のバーベル。
【請求項９】
前記緩衝部材はゴムで作製されることを特徴とする、請求項８に記載のバーベル。
【請求項１０】
前記本体に位置決め溝が少なくとも二つ形成されており、二つの前記位置決め溝は、前記本体の直径方向での両端にそれぞれ設けられており、前記各握り部材は少なくとも二つの位置決め部材を有し、少なくとも二つの前記位置決め部材は、前記握り部材の直径方向での両端にそれぞれ位置し、前記位置決め溝にそれぞれ対応することを特徴とする、請求項２に記載のバーベル。
【考案の詳細な説明】
【技術分野】
【０００１】
本考案は、バーベルに関するものである。
【背景技術】
【０００２】
従来のバーベルは、例えば特許文献１の米国特許ＵＳ  ８，６１７，０３６号に開示したように、ロッドと、前記ロッドの両端に設けられている錘と、を含む。ユーザは、前記ロッドの中央部分を握って上げることにより、ウェイトトレーニングを行う。しかしながら、このような構造によれば、ユーザはバーベルを水平に握ることが必要であるため、ウェイトトレーニングが難しく、そしてバーベルの重量を変更したい場合には、錘を取り替えることが必要なため、利用が極めて不便である。
【０００３】
特許文献２の米国特許ＵＳ  ８，６７２，８１５号に開示したバーベルは、ロッドに環状部分が設けられており、前記環状部分の中央に握りロッドが設けられている。これにより、ユーザはバーベルを鉛直に握り可能であるため、ウェイトトレーニングの動作はよりやすい。しかしながら、バーベルの重量を変更したい場合には、錘を取り替えることが必要なため、利用が極めて不便であり、そして握る位置を変更したい場合には、互いに嵌合する二つのロッドを調整することが必要であり、その調整が容易ではなく、変更可能の程度は小さい。
【０００４】
特許文献３の米国特許ＵＳ  ８，２３１，５１１号に開示したバーベルは、チューブ状を呈する本体に貫通孔が設けられており、前記貫通孔を握り部とする。しかしながら、このような構造によれば、両手の握りの間隔を変更できず、重量を調整することもできない。
【先行技術文献】
【特許文献】
【０００５】
【特許文献１】米国特許ＵＳ  ８，６１７，０３６号公報
【特許文献２】米国特許ＵＳ  ８，６７２，８１５号公報
【特許文献３】米国特許ＵＳ  ８，２３１，５１１号公報
【考案の概要】
【考案が解決しようとする課題】
【０００６】
本考案の主な目的は、充填物を充填可能な本体と位置を調整可能で脱着可能な握り部材とを有し、必要によって重量及び握り位置を調整可能なバーベルを提供することにある。
【課題を解決するための手段】
【０００７】
本考案のバーベルによると、ほぼチューブ状を呈し、収容空間を構成し、収容空間に液体または固体を入れ可能であり、その軸方向を長さ方向とし、その周面に位置決め部が少なくとも一つ形成されている本体と、その中央が中空であり、本体に移動可能に嵌合されており、位置決め部材を有し、位置決め部材は位置決め部に選択的に押付可能であり、更に、少なくとも一つの握り部をそれぞれ有する二つの握り部材と、を含むことを特徴とする。
【０００８】
本考案のバーベルによると、位置決め部は位置決め溝であり、位置決め溝はスライド溝であり、スライド溝は、本体の長さ方向に沿って延びることを特徴とする。
【０００９】
本考案のバーベルによると、本体の外周面に長い溝が形成されており、長い溝は、本体の長さ方向に沿って延び、スライド溝は、長い溝の底部に形成されており、握り部材の内リング壁は、握り部材の軸心に向いて突出部が形成されており、突出部は、長い溝にスライド可能に設けられていることを特徴とする。
【００１０】
本考案のバーベルによると、本体の長さ方向での一端に充填口が設けられており、本体には、充填口を封止するための蓋が設けられていることを特徴とする。
【００１１】
本考案のバーベルによると、各握り部材は、内リングと、外リングと、少なくとも一つの連結部と、位置決め部材と、を含み、内リングは、その外径が外リングの内径より小さく、外リングの中央に位置し、外リングとの間に予定の距離があり、外リングに握り部が形成されており、握り部材の内リングは本体に嵌め設けられており、連結部は、内リングと外リングとの間に連結されており、位置決め部材は、連結部内に設けられており、第１位置と第２位置との間に移動可能であり、位置決め部材が第１位置に位置するときに、位置決め部材の一端は、内リングの内リング面から突出し、本体の位置決め溝に押付可能であり、位置決め部材が第２位置に位置するときに、位置決め部材は、内リングの内リング面から突出せず、本体の位置決め溝に押し付けることができないことにより、握り部材は、本体に対して長さ方向に沿って移動可能であることを特徴とする。
【００１２】
本考案のバーベルによると、連結部内に通路が設けられており、通路は、外リングの外リング壁及び内リングの内リング壁と連通し、通路の外リングの外リング壁に近接する一端を第１端とし、通路の内リングの内リング壁に近接する一端を第２端とし、通路の第２端に近接する開口の内径は通路のその他の部分の内径より小さいため、階段面が形成され、位置決め部材は、ケースと、押付部材と、回転部材と、歯部材と、押圧部材と、第１弾性部材と、第２弾性部材と、を含み、ケースは、通路に設けられており、その内壁には、通路の延び方向に沿って、互い距離を置いて配列される短い溝と長い溝とが複数設けられており、短い溝と長い溝とは、第１端に近接する一端が封止状を呈し、第２端に近接する一端が開口を有し、何れかの隣接する短い溝と長い溝との開口の間に第１斜面が形成され、短い溝の封止端は、長い溝の封止端より通路の第２端に近接し、押付部材は環状突起を有し、第１弾性部材は、押付部材に嵌め設けられており、環状突起と通路の階段面との間に押し付け、歯部材の第２端に近接する一端の端面に斜め歯が複数設けられており、歯部材は、ケース内に通路の延び方向に沿ってスライド可能であるが、ケースに対して回転できず、回転部材は、押付部材と歯部材との間に設けられており、押付部材と歯部材とに対して回転可能であり、回転部材の外壁には、通路の延び方向に沿って延びる縦リブが複数設けられており、縦リブの歯部材に向く端面に第２斜面が形成されており、縦リブは、短い溝または長い溝のうちの一つにスライド可能に設けられており、第２斜面が歯部材の斜め歯に選択的に押し付けられ、押圧部材は、通路の第１端に設けられており、歯部材と連接して一斉に移動可能であり、第２弾性部材は、歯部材の内部に設けられており、歯部材と回転部材との間に設けられており、押圧部材が押圧されて第１端へ歯部材を押さえるときに、歯部材により、回転部材の縦リブが押さえられて短い溝または長い溝から出て、第２斜面が第１斜面に沿ってスライドすることにより、回転部材が回転して、縦リブが隣接の短い溝または長い溝に進入し、縦リブが短い溝に位置するときには、押付部材が内リングの内リング壁から突出し、縦リブが長い溝に位置するときに、押付部材は、通路内に位置し、内リングの内リング壁から突出しないことを特徴とする。
【００１３】
本考案のバーベルによると、握り部材は樹脂で作製され、外リングの少なくとも一部が弾性層に覆われ、弾性層は熱可塑性弾性体（ＴＰＲ）で作製されることを特徴とする。
【００１４】
本考案のバーベルによると、更に、二つの緩衝部材を含み、二つの緩衝部材は、本体の長さ方向での両端にそれぞれ設けられていることを特徴とする。
【００１５】
本考案のバーベルによると、緩衝部材はゴムで作製されることを特徴とする。
【００１６】
本考案のバーベルによると、本体に位置決め溝が少なくとも二つ形成されており、二つの位置決め溝は、本体の直径方向での両端にそれぞれ設けられており、各握り部材は少なくとも二つの位置決め部材を有し、少なくとも二つの位置決め部材は、握り部材の直径方向での両端にそれぞれ位置し、位置決め溝にそれぞれ対応することを特徴とする。
【考案の効果】
【００１７】
本考案のバーベルによれば、充填物を充填可能な本体と位置を調整可能で脱着可能な握り部材とを有し、必要によって重量及び握り位置を調整可能であるという効果を有する。
【図面の簡単な説明】
【００１８】
【図１】本考案に係るバーベルを示す斜視図である。
【図２】本考案に係るバーベルを示す分解斜視図である。
【図３】本考案に係る位置決め部材が第１位置に位置する状態を示す断面図である。
【図４】図３の一部を示す拡大図である。
【図５】本考案に係るバーベルを別の視点から見た断面図である。
【図６】本考案に係る握り部材を示す分解斜視図である。
【図７】本考案に係るケースを別の視点から見た斜視図である。
【図８】本考案に係る位置決め部材が第２位置に位置する状態を示す断面図である。
【図９】図８の一部を示す拡大図である。
【考案を実施するための形態】
【００１９】
以下、本考案の実施の形態を図面に基づいて説明する。
【００２０】
図１から図９を参照する。本実施形態に係るバーベルは、本体１０と、二つの握り部材２０と、を含む。
【００２１】
本体１０は、ほぼチューブ状または円筒状を呈し、収容空間１１を構成する。収容空間１１に液体または固体を入れ可能である。本体１０の軸方向を長さ方向とする。本体１０の周面に位置決め部が少なくとも一つ形成されている。前記位置決め部は位置決め溝であることが好ましい。具体的に、本実施形態では、本体１０の外周面に長い溝１２が形成されている。長い溝１２は、本体１０の長さ方向に沿って延びる。前記位置決め溝はスライド溝１２１である。スライド溝１２１は、長い溝１２の底部に形成されており、本体１０の前記長さ方向に沿って延びる。本体１０の前記長さ方向での一端に充填口１３が設けられている。本体１０には、充填口１３を封止するための蓋１４が設けられている。本体１０は、更に、二つの緩衝部材４０を含む。二つの緩衝部材４０は、本体１０の前記長さ方向での両端にそれぞれ設けられている。緩衝部材４０はゴムで作製されることが好ましい。これにより、本体１０が墜落しても、緩衝効果を有するため、バーベルの損壊を回避可能である。
【００２２】
各握り部材２０は、その中央が中空であり、本体１０に移動可能に嵌合されており、位置決め部材３０を有する。位置決め部材３０は、前記位置決め溝に選択的に押付可能であることにより、握り部材２０が本体１０に位置決められる。握り部材２０は、更に、少なくとも一つの握り部をそれぞれ有する。具体的に、本実施形態では、各握り部材２０は、内リング２２と、外リング２１と、少なくとも一つの連結部２３と、位置決め部材３０と、を含む。内リング２２は、その外径が外リング２１の内径より小さく、外リング２１の中央に位置し、外リング２１との間に予定の距離がある。外リング２１に前記握り部が形成されている。握り部材２０の内リング２２は本体１０に嵌め設けられている。連結部２３は、内リング２２と外リング２１との間に連結されている。位置決め部材３０は、連結部２３内に設けられており、第１位置と第２位置との間に移動可能である。内リング２２の内リング壁は、握り部材２０の軸心に向いて突出部２２１が形成されている。突出部２２１は、長い溝１２にスライド可能に設けられている。位置決め部材３０が前記第１位置に位置するときに、位置決め部材３０の一端は、内リング２２の内リング面から突出し、本体１０の位置決め溝（スライド溝１２１）に押付可能である。位置決め部材３０が前記第２位置に位置するときに、位置決め部材３０は、内リング２２の内リング面から突出せず、本体１０の位置決め溝（スライド溝１２１）に押し付けることができないことにより、握り部材２０は、本体１０に対して前記長さ方向に沿って移動可能である。握り部材２０は樹脂で作製され、外リング２１の少なくとも一部の面積（特に、前記握り部）が弾性層に覆われ、前記弾性層は熱可塑性弾性体（ＴＰＲ）で作製されることが好ましい。
【００２３】
連結部２３内に通路２３１が設けられている。通路２３１は、外リングの外リング壁及び内リング２２の内リング壁と連通する。通路２３１の外リング２１の外リング壁に近接する一端を第１端とする。通路２３１の内リング２２の内リング壁に近接する一端を第２端とする。通路２３１の前記第２端に近接する開口の内径が通路２３１のその他の部分の内径より小さいため、階段面２３１１が形成される。位置決め部材３０は、ケース３１と、押付部材３２と、回転部材３３と、歯部材３４と、押圧部材３５と、第１弾性部材３６と、第２弾性部材３７と、を含む。ケース３１は、通路２３１に設けられており、その内壁には、通路２３１の延び方向に沿って、互い距離を置いて配列される短い溝３１１と長い溝３１２とが複数設けられている。短い溝３１１と長い溝３１２とは、前記第１端に近接する一端が封止状を呈し、前記第２端に近接する一端が開口を有する。何れかの隣接する短い溝３１１と長い溝３１２との前記開口の間に第１斜面３１３が形成される。短い溝３１１の前記封止端は、長い溝３１２の前記封止端より通路２３１の前記第２端に近接する。押付部材３２は環状突起３２１を有する。第１弾性部材３６は、押付部材３２に嵌め設けられており、環状突起３２１と通路２３１の階段面２３１１との間に押し付ける。歯部材３４の前記第２端に近接する一端の端面に斜め歯３４１が複数設けられている。歯部材３４は、ケース３１内に通路２３１の延び方向に沿ってスライド可能であるが、ケース３１に対して回転できない（具体的には、ケース３１の内壁に溝３１４が少なくとも一つ設けられている。溝３１４は通路２３１の延び方向に沿って延びる。歯部材３４の外壁に突起３４２が少なくとも一つ設けられている。突起３４２は溝３１４にスライド可能に設けられている。）。回転部材３３は、押付部材３２と歯部材３４との間に設けられており、押付部材３２と歯部材３４とに対して回転可能である。回転部材３３の外壁には、通路２３１の延び方向に沿って延びる縦リブ３３１が複数設けられている。縦リブ３３１の歯部材３４に向く端面に第２斜面３３１１が形成されている。縦リブ３３１は、短い溝３１１または長い溝３１２のうちの一つにスライド可能に設けられており、第２斜面３３１１が歯部材３４の斜め歯３４１に選択的に押し付けられる。押圧部材３５は、通路２３１の前記第１端に設けられており、歯部材３４と連接して一斉に移動可能である。第２弾性部材３７は、歯部材３４の内部に設けられており、歯部材３４と回転部材３３との間に設けられている。押圧部材３５が押圧されて前記第１端へ歯部材３４を押さえるときに、歯部材３４により、回転部材３３の縦リブ３３１が押さえられて短い溝３１１または長い溝３１２から出て、第２斜面３３１１が第１斜面３１３に沿ってスライドすることにより、回転部材３３が回転して、縦リブ３３１が隣接の短い溝３１１または長い溝３１２に進入する。縦リブ３３１が短い溝３１１に位置するときには、図３及び図３Ａに示すように、押付部材３２が内リング２２の内リング壁から突出する。縦リブ３３１が長い溝３１２に位置するときに、図６及び図６Ａに示すように、押付部材３２は、通路２３１内に位置し、内リング２２の内リング壁から突出しない。
【００２４】
本実施形態では、本体１０に長い溝１２が二つ形成されている。二つの長い溝１２は、本体１０の直径方向での両端にそれぞれ設けられている。各握り部材２０は二つの位置決め部材３０を有する。二つの位置決め部材３０は、握り部材２０の直径方向での両端にそれぞれ位置し、長い溝１２にそれぞれ対応する。二つの位置決め部材３０が前記第１位置に位置するときに、位置決め部材３０は、二つの長い溝１２に押し付け、本体１０を挟むことと同じである。これにより、握り部材２０は本体１０に対してスライドすることができない。
【００２５】
もちろん、複数の位置決め溝を有し、前記位置決め溝は本体の長さ方向に沿って距離を置いて配列され、各握り部材の位置決め部材は前記位置決め溝のうちの一つに選択的に押し付けることにより、多段式で位置を調整することが可能であってもよい。その効果は、上記の実施形態と同じである。
【００２６】
次に、本実施形態に係るバーベルの使用状態を説明する。まず、ユーザは、両手が二つの握り部材２０の握り部をそれぞれ握って、本体１０と一斉に上げると、鍛錬を行うことが可能である。両手の握りの間隔を調整したい場合には、位置決め部材２０の押圧部材３５を押圧して、押付部材３２が後退すると、握り部材２０を本体１０に沿ってスライド可能である。位置決め部材２０を適当の位置に移動した後、押圧部材３５を押圧して、押付部材３２が長い溝１２１に突出して押し付けると、位置決め部材２０が位置決められる。このとき、鍛錬を行うことが可能である。
【００２７】
本実施形態に係るバーベルによれば、充填物を充填可能な本体と位置を調整可能な握り部材とを有し、必要によって重量及び握り位置を調整可能であり、収納が極めて容易であり、そして位置決め部材を、思う通りに調整して、本体に対する位置を位置決め可能であり、操作が極めて簡単であり、握り部材自体に重量がある。
【００２８】
なお、本考案は前記実施の形態に限定されるものではなく、本考案の趣旨に基づいて種々変形させることが可能であり、それらを本考案の範囲から排除するものではない。
【産業上の利用可能性】
【００２９】
本考案は、バーベルに適用することができる。
【符号の説明】
【００３０】
１０    本体
１１    収容空間
１２    長い溝
１３    充填口
１４    蓋
２０    握り部材
２１    外リング
２２    内リング
２３    連結部
３０    位置決め部材
３１    ケース
３２    押付部材
３３    回転部材
３４    歯部材
３５    押圧部材
３６    第１弾性部材
３７    第２弾性部材
４０    緩衝部材
１２１    スライド溝
２２１    突出部
２３１    通路
３１１    短い溝
３１２    長い溝
３１３    第１斜面
３１４    溝
３２１    環状突起
３３１    縦リブ
３４１    斜め歯
３４２    突起
２３１１    階段面
３３１１    第２斜面
【図１】
0003203764.tif 000003
【図２】
0003203764.tif 000004
【図３】
0003203764.tif 000005
【図４】
0003203764.tif 000006
【図５】
0003203764.tif 000007
【図６】
0003203764.tif 000008
【図７】
0003203764.tif 000009
【図８】
0003203764.tif 000010
【図９】
0003203764.tif 000011